(57)【特許請求の範囲】
【請求項１】
画像データを用いた編集処理を行い、その結果を処理画像データとして出力する画像編集装置であって、
所定の条件を満たす前記画像データを、画像データ群として記憶し、前記画像データ群に含まれる画像データを複数の前記編集処理の間で共通利用可能に管理する記憶手段と、
前記画像データ群に含まれる画像データを用いた前記編集処理をユーザに設定させる設定手段と、
前記設定手段で設定された編集処理を示す情報と、その編集処理の結果イメージを表す画像データとを、前記編集処理に用いた画像データと異なるデータとして記録する記録手段とを有することを特徴とする画像編集装置。
【請求項２】
前記編集処理が、前記画像データと他の画像データとの合成処理であることを特徴とする請求項１記載の画像編集装置。
【請求項３】
編集処理の結果イメージを表す画像データが、前記合成処理結果を示す画像であることを特徴とする請求項２に記載の画像編集装置。
【請求項４】
前記編集処理の結果イメージを表す画像データは、前記編集処理結果を表示装置に出力するための表示データから生成されることを特徴とする請求項１乃至請求項３のいずれか１項に記載の画像編集装置。
【請求項５】
画像データを用いた編集処理を行い、その結果を処理画像データとして出力する画像編集装置の制御方法であって、
所定の条件を満たす前記画像データを、画像データ群として記憶装置に記憶し、前記画像データ群に含まれる画像データを複数の前記編集処理の間で共通利用可能に管理する記憶工程と、
前記画像データ群に含まれる画像データを用いた前記編集処理を設定する設定工程と、
前記設定工程で設定された編集処理を示す情報と、その編集処理の結果イメージを表す画像データとを、前記編集処理に用いた画像データと異なるデータとして前記記憶装置に記録する記録工程とを有することを特徴とする画像編集装置の制御方法。
【請求項６】
装置が実行可能なプログラムを格納する記憶媒体であって、前記プログラムを実行する装置を、
画像データを用いた編集処理を行い、その結果を処理画像データとして出力する装置であって、
所定の条件を満たす前記画像データを、画像データ群として記憶し、前記画像データ群に含まれる画像データを複数の前記編集処理の間で共通利用可能に管理する記憶手段と、
前記画像データ群に含まれる画像データを用いた前記編集処理を設定する設定手段と、
前記設定手段で設定された編集処理を示す情報と、その編集処理の結果イメージを表す画像データとを、前記編集処理に用いた画像データと異なるデータとして記録する記録手段とを有することを特徴とする装置として動作させる記憶媒体。
【発明の詳細な説明】
【０００１】
【発明の属する技術分野】
本発明は、デザインテンプレートと入力画像との合成処理等の画像編集を行い、その結果を出力する画像編集装置における、データ管理および画面表示に関する。
【０００２】
【従来の技術】
従来、予め色彩やイメージなどがデザインされ、画像データをはめ込むスペース（画像スロット）が用意されたフレーム（デザインテンプレート）に、種々の媒体に記録された画像を合成して出力するサービスや、写真プリントからの引き延ばし、画像に色彩変換等の特殊効果を加えて出力する等のサービスが行われている。このような処理を行う画像編集装置においては、通常、表示装置にサービスメニューやテンプレート、編集したい画像データ等を表示し、画面上の所定領域を選択することによって画像編集装置に対する処理の指示を与える構成を有している。
【０００３】
そして、印刷完了後は顧客が実行した編集作業が、作業の受け付け開始と同時に発行されるオーダー番号や実行したサービス名、作業状態、作業開始時間、データサイズなどをリスト状にしたオーダーリストとして表示装置上に文字表示されていた。また、画像の編集作業はサービス選択、画像入力、編集作業、印刷というステップで処理されていた。
【０００４】
【発明が解決しようとする課題】
このような従来の画像編集装置においては、編集・印刷作業履歴を示すオーダーリスト上では、枚数やファイルサイズ等の情報はわかるものの、そのオーダーでどのような画像の印刷が行われたかを視覚的に理解することはできない。このため、大量のオーダーリストの中から必要なオーダーを探して再印刷を実行するなどの作業が困難になっている。また、一度編集作業を終了すると、直前に用いたものと同じ画像であっても、新規に編集作業を始める際にははじめから画像を入力しなけれはならなかった。
【０００５】
本発明の目的は、画像の再入力をしなくとも、同じ入力画像に対する複数の編集作業を実現できる画像編集装置及びその制御方法を提供することにある。
【０００６】
また、本発明の別の目的は、上記のような問題点を解決し、オーダーリスト上でそのオーダーでどのような印刷をおこなったかが視覚的に理解できる画像編集装置及びその制御方法を提供することにある。
【０００７】
【課題を解決するための手段】
本発明の第１の要旨は、画像データを用いた編集処理を行い、その結果を処理画像データとして出力する画像編集装置であって、所定の条件を満たす画像データを、画像データ群として記憶し、画像データ群に含まれる画像データを複数の編集処理の間で共通利用可能に管理する記憶手段と、画像データ群に含まれる画像データを用いた編集処理をユーザに設定させる設定手段と、設定手段で設定された編集処理を示す情報と、その編集処理の結果イメージを表す画像データとを、編集処理に用いた画像データと異なるデータとして記録する記録手段とを有することを特徴とする画像編集装置に存する。
【０００８】
また、本発明の別の要旨は、画像データを用いた編集処理を行い、その結果を処理画像データとして出力する画像編集装置の制御方法であって、所定の条件を満たす画像データを、画像データ群として記憶装置に記憶し、画像データ群に含まれる画像データを複数の編集処理の間で共通利用可能に管理する記憶工程と、画像データ群に含まれる画像データを用いた編集処理をユーザに設定させる設定工程と、設定工程で設定された編集処理を示す情報と、その編集処理の結果イメージを表す画像データとを、編集処理に用いた画像データと異なるデータとして記憶装置に記録する記録工程とを有することを特徴とする画像編集装置の制御方法に存する。
【０００９】
また、本発明の別の要旨は、装置が実行可能なプログラムを格納する記憶媒体であって、プログラムを実行する装置を、画像データを用いた編集処理を行い、その結果を処理画像データとして出力する装置であって、所定の条件を満たす画像データを、画像データ群として記憶し、画像データ群に含まれる画像データを複数の編集処理の間で共通利用可能に管理する記憶手段と、画像データ群に含まれる画像データを用いた編集処理をユーザに設定させる設定手段と、設定手段で設定された編集処理を示す情報と、その編集処理の結果イメージを表す画像データとを、編集処理に用いた画像データと異なるデータとして記録する記録手段とを有することを特徴とする装置として動作させる記憶媒体に存する。
【００１０】
本発明の画像編集装置においては、新規に登録した際に発行される顧客番号と入力画像群は一対であり、この単位をカスタマーと定義する。そのカスタマー内では、それら入力画像を対象にした従来のサービスの実行単位であるオーダーを複数生成することができるデータ構造を持つ。これにより、異なるオーダーであっても同一顧客に対するオーダーであれば画像を入力しなおすことなく、複数の画像編集サービスを実行することが可能となる。
【００１１】
また、最終的な印刷を実行する前に、確認を主目的として表示装置上に出力される印刷イメージを表す画像データを、画像の概略が判別可能な程度の大きさかつ解像度の画像（サムネール）に変換したファイルとして出力しておき、オーダー履歴のリスト（オーダーリスト）表示及び／又は印刷キューリスト表示時に用いる。ただし、その編集したテンプレートが複数ページで構成されている場合には、印刷可能な最初のページに対する印刷イメージデータからサムネールを作成する。
【００１２】
表示装置上には顧客番号のリスト（カスタマーリスト）と、その顧客番号に属するオーダーがリストが表示されている。カスタマーリストでは、顧客番号のほかに、入力画像数、オーダー数、作業開始時間、データサイズなどの属性がテキスト表示される。オーダーリストでは、カスタマーリストで選択されているカスタマー内の各オーダーのサムネールが、そのオーダーで実行されたサービス名とともにリスト表示され、どのような編集を実行したのかを視覚的に理解させることができる。
【００１３】
表示装置上には、印刷を行っているオーダーや印刷キューとして溜まっているオーダーに関する情報を表示する領域も用意されている。このとき、オーダーリスト上で用いられているサムネールが表示される。また印刷キューはオーダー単位にリスト表示され、マウス操作等で選択されたオーダーについてそのサムネールを表示させることができる。また、現在印刷中のオーダーや印刷キューとして溜まっているオーダーを視覚的に理解させるためにもサムネールを表示する。ただし、印刷指定によっては必ずしも最初のページが指定される保証はないため、キューの作成時にはそのページのサムネールをキューごとに作成して、必要に応じてそれを表示する。
【００１４】
そのキューがキャンセルされた場合にはそのキューとともにサムネールは破棄される。各サービスでは入力画像群を用いて、デザインテンプレート上の画像スロットへの画像の貼り付けや、貼り付けた画像に対して画像処理を施すことができる。このときの画像処理については、貼り付けたその画像のみに有効なものと、一度施した処理がカスタマー内のすべてのオーダーで共通になるもの、の２種類を提供する。前者はセピア・モノクロ・浮き彫り・トリミング・回転といった画像全体に対する効果を与える処理を指し、後者は赤目・ゴミ・キズ除去といった画像の一部を修正する処理を指す。また、これらを組み合わせた処理も可能である。
【００１５】
また、従来のオーダー単位で外部記憶装置にて保存されたデータを、このカスタマー単位の構造に変換して、カスタマーリストに追加・組み込む機能も提供する。これらを実現することで、画像編集装置のオーダーリスト上でそのオーダーでどのような印刷が行われたかを視覚的に理解させることができる。
【００１６】
【発明の実施の形態】
以下に、図面を参照して本発明の実施形態を詳細に説明する。
図１は、本発明の一実施形態となる、デザインテンプレートと入力画像とを合成処理を行う画像編集装置における、本実施形態の説明に必要な部分の概略構成を示す図である。
【００１７】
図１において、１はキーボード・マウスなどの入力装置、２はシステムのマネージメント制御・入力画像とデザインテンプレートとの合成処理などを行う中央処理装置、３は表示に使用する端末、４は印刷装置、５は画像入力装置、６は磁気ディスクドライブ、光ディスクドライブなどの外部記憶装置である。以下の説明において、画像入力装置５はスキャナとする。
【００１８】
図２は、本実施形態におけるデータ管理の体系を示す図である。すなわち、データは顧客単位で分類されたデータの集合（カスタマーと呼ぶ）７を基本単位とし、各カスタマーは顧客が過去に使用した画像データの集合（入力画像群）８と、この画像データを利用して処理した、画像合成サービスの実行単位である複数のオーダー９及び、各オーダーに対応した、その処理内容（結果）を視覚的に認識するための画像データである編集結果サムネール画像１０とから構成されている。
【００１９】
このようなデータ管理構造を採用することにより、同一顧客に対するオーダーであれば、異なるオーダー及びサービス間で入力画像群に含まれる画像データを共用することができ、同じ画像を何度も入力する手間を省くことができる。また、オーダー内容を表すデータにおいても、使用した画像データを表す番号等の情報を用いることができ、実際に使用した画像データをオーダーデータに含ませる必要が無い。
【００２０】
編集結果サムネール画像１０は、例えば、実際の出力処理に先だって、編集結果画像を顧客等に確認させるために画面上に表示する出力イメージデータを用いて生成することにより、容易に作成することができる。すなわち、出力処理に用いる高解像度の画像データから直接サムネール画像を作成せずに、十分低解像度のデータとなっている表示用の出力イメージデータからサムネール画像を作成することにより、容易に処理を行うことができる。
【００２１】
カスタマーは、新規な顧客から注文を受けるたびに生成される。また、既存のカスタマーに対して、追加の画像入力を行ったり、オーダーを生成することもできる。各カスタマー間、および、各オーダー間には依存関係はないため、カスタマー単位、オーダー単位の削除も可能である。
【００２２】
図３は、画像編集装置の処理における新規顧客データの取り扱いを示すフローチャートである。
まず、画像編集装置の起動後、初期画面は端末上に既存の顧客に対する、顧客番号等の情報をリスト表示したカスタマーリストが表示されている画面となっており、マウスやキーボードである入力装置１によって画面上で選択した顧客番号下の詳細情報を表示することができる。
【００２３】
画像編集装置のオペレータが顧客の新規注文を受けるとこの画面から処理を開始する。このとき中央処理装置２は、その顧客が既存の顧客リストに無ければ顧客番号を発行する（ステップＳ１１）。中央処理装置２は、画像入力装置５からユーザが合成を希望する画像を読み込む（ステップＳ１２）。この際、読み込んだ画像データについて、同一顧客内でユニークな番号を付与する。デザインテンプレートと画像合成を行うために用意されたサービスのなかから１つを選択させる。このときオーダー番号を発行する（ステップＳ１３）。
【００２４】
サービスが選択されると、中央処理装置２は記憶装置６に予め記憶された、選択されたサービスに使用可能なデザインテンプレートの印刷用高解像度画像データを読み出し、表示装置での表示に適した大きさに変換して画面に表示する。また、中央処理装置２は画像入力装置５で読み込んだ画像データのそれぞれについて、所定の大きさに縮小した、低解像度の画面表示用画像データ（入力画像のサムネール画像データ）を作成してデザインテンプレートと同画面に表示する。
【００２５】
それらをユーザに選択させ適時合成処理を行う（ステップＳ１４）。合成処理は例えばテンプレートの高解像度データと入力画像データを用いて行ない、その結果データから解像度の変換を行って合成結果イメージ表示用の低解像度データを作成して表示装置に表示する。また、デザインテンプレートの画像スロットの大きさと、入力画像データの大きさ調整も必要なら合成処理時に行う。
【００２６】
中央処理装置２は、デザインテンプレートと入力画像の合成結果を表示するときに、合成結果イメージ表示用画像データをサムネール画像ファイルとして記憶装置６に保存する（ステップＳ１５）。この際、テンプレートの選択中にユーザの試行錯誤によって作成されたファイルの様に、すでに同じサービスに対するファイルがある場合には、既存ファイルに上書きする。同じサービスに対するファイルの特定は、サービス選択時に発行されたオーダー番号を用いたファイル名を付与することにより可能である。また、デザインテンプレートには各々ユニークな番号がつけられている。複数ページからなるテンプレートを用いている場合は、最初のページについてファイルを作成する。
【００２７】
中央処理装置は最終的な高解像度の合成結果を１ページずつ印刷を行い、発生させたオーダー番号、選択されたテンプレートの番号、実行したサービスの名称をテキスト形式でオーダー情報に設定する（ステップＳ１６）。印刷処理完了後は、合成処理を繰り返し実行するかどうかをユーザに尋ねる（ステップＳ１７）。続行が指定された場合は、サービスの選択ステップに戻って同じ入力画像群に対してサービスを継続させることができ（ステップＳ１８）、継続が指定されなかった場合には一切の処理を完了させて顧客履歴情報を更新後、既存カスタマーリスト表示の画面に戻る。このとき、カスタマーリスト上ではそれまで編集作業がされていたカスタマーが選択状態で表示され、そのカスタマー内のオーダーのサムネール群がオーダーリスト上に表示される（ステップＳ１９）。
【００２８】
図４は、本実施形態における、既存カスタマーに対する新オーダー生成処理を示すフローチャートである。カスタマーリストから、入力画像を追加したい、または新規にサービスを実行したいカスタマーを選択し、以降は図３で示した新規注文受付けと同じ処理を行う。
【００２９】
本実施形態においては、同一カスタマーに対して使用した入力画像を蓄積し、サービス又はオーダー間で共有する構成をとることもできるが、画像データはデータ量が非常に大きいため、外部記憶装置６に要求される容量も必然的に大きくなる。そのため、保存しておく画像データに一定の制限を設けることも可能である。たとえば、最近１ヶ月以内に使用したもの、最近の１０オーダー、或いはデータ量が１ＧＢまでなど、時間、数、データ容量等、任意の条件（単独或いは組み合わせ）を用いることができる。
【００３０】
また、カスタマー情報をリムーバブルな記憶媒体に保存し、新たなオーダー時に復元することにより、本発明による画像編集装置がある場所ならば、いかなる場所においても共通してカスタマー情報を使用することができる。そのため、カスタマー情報に記憶された画像を使用するオーダーであれば、編集装置が変わっても再度画像データを読み込む必要がない。
さらに、保存したあとでカスタマー情報を画像編集装置が使用する記憶装置から削除することにより、画像編集装置側の記憶装置の容量が有効に使用できる。高解像度の画像データは非常にデータ量が多いため、多くの顧客に対応する画像編集装置の場合には特にその効果が大きい。
【００３１】
次に、図５及び図６を用いて、カスタマー情報の保存処理及び復元処理について説明する。図５は、本実施形態における、カスタマー情報の保存処理を示すフローチャートである。保存したい任意の数のカスタマーをカスタマーリスト上で選択し（ステップＳ３１）、カスタマー保存の指定を行う（ステップＳ３２）。保存先となる外部記憶装置６を指定し（ステップＳ３３）、保存処理可能な状態であればカスタマー保存を実行する（ステップＳ３８）。もし、保存処理が不可能な状態であれば再試行するかどうかを尋ね（ステップＳ３５）、再試行を選択した場合（ステップＳ３６）は、再度外部記憶装置の指定をやり直し、再試行を選択しない場合には保存処理をキャンセルする（ステップＳ３７）。
【００３２】
図６は、本実施形態における、外部記憶装置からのカスタマー情報の復元処理を示すフローチャートである。カスタマーの復元処理が選択されると（ステップＳ４１）、復元対象とする外部記憶装置の指定を促す（ステップＳ４２）。指定された外部記憶装置の状態をチェックし（ステップＳ４３）、復元処理が可能な状態であればその記憶媒体上のカスタマーリスト・オーダーリストを表示し（ステップＳ４７）、リストから復元したい任意の数のカスタマーを選択させ（ステップＳ４８）、復元処理の指定を行う（ステップＳ４９）。復元処理の指定がなされると、選択されたカスタマーに対する復元処理を実行する（ステップＳ５０）。復元処理が完了したらカスタマーリストを更新して表示する（ステップＳ５１）。
【００３３】
図７は、本実施形態におけるカスタマー情報の削除処理を示すフローチャートである。削除したい任意の数のカスタマーをカスタマーリスト上で選択し、番号を指定する（ステップＳ６１）。次に、選択されているカスタマー（群）を取得する（ステップＳ６２）。そして、選択されているすべてのカスタマーに対して、それらに属するすべてのオーダーのステータスをチェックする（ステップＳ６３、６４、６５、６７）。印刷中のオーダーがない場合にはそのカスタマーを削除し（ステップＳ７０）、一つでも印刷中のオーダーがあれば、そのカスタマーに対する削除は行わない。すべてのカスタマーに対してチェックが完了した場合にはカスタマーリスト・オーダーリストの更新を行う（ステップＳ７２）。
【００３４】
図８は、本実施形態における、オーダー情報の削除処理を示すフローチャートである      。削除したいオーダーがあるカスタマーをリスト上から選択し（ステップＳ８１）、そのカスタマーに対するオーダーリスト上から削除対象とするオーダーを選択する（ステップＳ８２）。そのオーダーが印刷中でなかった場合には、そのオーダーを削除し、オーダーリストの更新を行う（ステップＳ８３、８４、８５）。
【００３５】
図９は、本実施形態において表示装置上に出力されるオーダー管理画面上のカスタマーリスト・オーダーリストの表示例を示す図である。９１はオーダーリスト表示領域、９２はカスタマーリスト表示領域の表示例をそれぞれ示している。オーダーリスト表示領域９１では、カスタマーリスト表示領域９２で選択されているカスタマー下のオーダーが、編集結果サムネール画像・実行したサービス名・オーダーのステータスを示すアイコン、で表示される。オーダーリスト表示領域９１に全てのオーダーが表示できない場合は、オーダーリスト表示領域をスクロール可能として構成し、画面をスクロールすることにより全てのオーダーを表示するようにしてもよい。
【００３６】
図９においては、カスタマーリスト表示領域９２で２番目のカスタマーが選択状態になっており、顧客番号＃２が行ったオーダーがサムネール画像とともにオーダーリスト表示領域９１に表示されていることを示している。また、オーダーリスト上のサムネールを選択することにより、そのオーダーの詳細情報を表示することができる。オーダー情報表示領域９３には、顧客番号、オーダー番号のほか、実行したサービスのアイコンと名称、編集したテンプレートの総ページ数やテンプレート番号、印刷回数が表示される。また、「削除」、「編集」、「印刷」のボタンを備え、「削除」が選択された場合には、図８の削除処理が実行される。「編集」が選択されると再度編集画面を表示する。「印刷」が選択されると印刷処理が開始する。
【００３７】
図１０は、本実施形態で表示装置上に出力される印刷管理画面上の印刷キューリストの表示例を示す図である。印刷管理画面は例えば画面上に用意されたカスタマー／オーダー管理画面と印刷管理画面との切替ボタンを選択（指示）することにより、任意のタイミングで切替表示される。印刷管理画面にはオーダー毎の処理状況などが印刷キューリストとして表示される。
【００３８】
オーダー処理状況表示領域１０１では、プリンタの稼動状況を示すテキスト表示とともに、印刷キューリスト表示領域１０２に表示されている印刷キューリストで選択されているオーダーのサムネールが表示されている。印刷キューリストでは、そのキューを発生させたオーダーの番号やサービス名、印刷状態、開始時間などがリスト表示されている。リスト上先頭のものから順に印刷されていく。印刷が完了したキューについては、リストから削除され、かつ、そのキューに関する情報すべてが破棄される。すなわち、図１０においては、印刷キューリスト表示領域１０２では、オーダー番号＃１が印刷中のオーダーで、それ以外のオーダーは印刷待機状態であることを示している。
【００３９】
図１１は、本実施形態における、同カスタマー内の画像処理操作について示す図である。各オーダーでの編集画面では、選択されたテンプレート上の画像スロットに対して任意の入力画像を指定し、合成することができるが、このとき、テンプレートにはめ込まれた画像に対して、様々な画像処理を施すことができる。この画像処理には画像補正と画像修正の２種類があり、前者はセピア・モノクロ・浮き彫り・トリミング・回転といった画像全体に対する効果を与える処理を指し、後者は赤目・ゴミ・キズ除去といった画像の一部を修正する処理を指す。画像補正ははめ込まれた画像に対してのみ有効である。画像修正については、一度修正を行うとカスタマー内で共通の画像処理となり、その画像が貼り付けられたテンプレート上では、その画像には必ずその処理が加えられている。
【００４０】
１１１で示しているオーダーでは、指定した１１７の入力画像をそのままテンプレートの画像スロットに貼り付けている例を示している。一方、１１２のオーダーでは、テンプレートに２種類の画像を張りつけている例を示しており、張り付けられている画像は１１７の画像に１１４の画像補正＃１を加えたものと、１１８の画像に１１５の画像修正＃１を加えたものである。また、１１３のオーダーでは、１１８の画像に対して１１６の画像修正＃１を行い、さらに１１５の画像補正＃３を加えた画像をテンプレートに張り付けている。
【００４１】
図１１において、画像修正＃１（１１６）は、カスタマー内で共通の画像処理であり、その後別のオーダーで画像１１８を用いる際には、そのオーダーで何ら処理を施さなくても画像修正＃１（１１６）が施された状態となる。
【００４２】
【他の実施形態】
上述の実施形態においては、カスタマー情報を保存、復元する際、記憶媒体を用いていたが、画像編集装置にモデムやネットワークカードなどの通信装置を組み込んで、画像編集装置間で通信することにより、顧客が記憶媒体を持たなくとも任意の場所にある画像編集装置での編集、出力が可能なように構成してもよい。
【００４３】
また、上述の実施形態における表示領域９１〜９３は、画面上の特定領域を固定的に使用してもよいし、例えばカスタマーリスト表示領域９２のみを表示しておき、カスタマーが選択されるとオーダーリスト表示領域９１が別のウインドウの形で表示され、オーダーが選択されるとオーダー情報表示領域９３が更に別のウインドウの形で表示されるようにしてもよい。表示の方法は表示デバイスの物理的な表示領域の大きさや表示するデータ項目数、量などに応じて決定する。
【００４４】
上述の実施形態においては、画像編集として画像合成を例として説明したが、合成のみならず変形や色変換など、いかなる処理であっても本発明を適用することができる。
【００４５】
また、実施形態においては画像入力装置としてスキャナを用い、画像データを読み込む場合を説明したが、予め記憶装置６に用意された画像データを入力画像データとして用いてもよいし、例えばデジタルカメラで撮影した画像データや、コンピュータで作成された画像データのように、既に電子データの形式となった画像データを読み込むようにしてもよい。この場合、電子データの記録媒体はフラッシュメモリ、磁気記録媒体、光記録媒体など任意であり、入力方法もいかなる方法でも良い。
【００４６】
また、画像データの編集（解像度変換、変倍処理を含む）については、中央処理装置がソフトウェア的に行っても、専用のハードウェアを用いて処理してもよい。
【００４７】
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【００４８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４９】
この場合、記憶媒体から読出されたプログラムコード自体が前述した実施形態の機能を実現することになり、そのプログラムコードを記憶した記憶媒体は本発明を構成することになる。
【００５０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５３】
【発明の効果】
以上説明したように、本発明によれば、処理に用いた画像データを顧客毎に共通管理することにより、同一顧客に対する複数のオーダー間で画像データを共通利用することが可能になり、同一画像に対する処理であれば、異なるオーダーであっても画像データを再読込する手間が不要となる。
また、顧客毎のデータを複数の装置で共通に利用することができるため、装置が変わっても過去に使用した画像を用いた画像編集であれば画像データを再度入力する必要がない。
【００５４】
また、顧客情報等を表示する管理画面及び／又は印刷処理中のオーダー管理画面において、処理結果を表す画像データを表示することにより、多数のオーダーから必要なオーダーを容易に判別することができる。
さらに、編集処理の結果イメージを表す画像データを、オーダーとともに管理することによって、画像データとは別途管理されているオーダーの内容を、容易かつ一目瞭然に確認することができる。
また、編集処理の結果イメージを表す画像データは表示用の画像データを元に生成するため、装置の処理負荷をあまり大きくすること無く編集結果イメージを表す画像を作成することができる。
【図面の簡単な説明】
【図１】本発明の一実施形態である、画像編集装置の要部概略構成を示すブロック図である。
【図２】本発明におけるデータ管理構造例を示す図である。
【図３】新規顧客に対する処理を示すフローチャートである。
【図４】既存顧客に対する処理を示すフローチャートである。
【図５】既存カスタマー情報の保存処理を示すフローチャートである。
【図６】記憶装置上のカスタマー情報の復元処理を示すフローチャートである。
【図７】既存カスタマー情報の削除処理を示すフローチャートである。
【図８】既存カスタマー情報内のオーダー情報の削除処理を示すフローチャートである。
【図９】カスタマーリスト・オーダーリストの表示例を示す図である。
【図１０】印刷キューリストの表示例を示す図である。
【図１１】同カスタマー内の画像処理操作の種類とその効果について示す図である。
【図１】
0003595705.tif 000002
【図２】
0003595705.tif 000003
【図３】
0003595705.tif 000004
【図４】
0003595705.tif 000005
【図５】
0003595705.tif 000006
【図６】
0003595705.tif 000007
【図７】
0003595705.tif 000008
【図８】
0003595705.tif 000009
【図９】
0003595705.tif 000010
【図１０】
0003595705.tif 000011
【図１１】
0003595705.tif 000012